(57)【要約】【課題】  コンクリート工事における打設時に不可避的に生じる余剰コンクリートであっても、同一の工事現場内における他の工程に転用することができて、限られた資材を有効に活用することができる鉄筋コンクリート工事用スペーサーブロックの製造方法および成形用型枠を提供すること。【解決手段】  上面に複数の収容凹部11・11…が形成された有底のトレイ本体１の裏面には割り溝12が形成されており、かつ、この割り溝12は、前記各収容凹部11・11…における各底壁裏面を少なくとも横断して成る型枠を用いて、前記各収容凹部11・11…に未硬化のコンクリート材料を充填し、当該コンクリートを硬化せしめた後、前記トレイ本体１の底壁裏面に形成された割り溝12に沿って底壁面を破断することによって、前記収容凹部11内でブロック状に硬化したコンクリートを脱型してブロック２を取り出すという技術的手段を採用した。【選択図】  図１
2005336848.tif 000002
【特許請求の範囲】
【請求項１】
鉄筋コンクリート工事において、コンクリート打設前に鉄筋を保持するために用いられるスペーサーブロックを製造するにあたり、
上面に複数の収容凹部11・11…が形成された有底のトレイ本体１であって、このトレイ本体１の裏面には割り溝12が形成されており、かつ、この割り溝12は、前記各収容凹部11・11…における各底壁裏面を少なくとも横断して成る型枠を用いて、
前記各収容凹部11・11…に未硬化のコンクリート材料を充填し、当該コンクリートを硬化せしめた後、前記トレイ本体１の底壁裏面に形成された割り溝12に沿って底壁面を破断することによって、前記収容凹部11内でブロック状に硬化したコンクリートを脱型してブロック２を取り出すことを特徴とする鉄筋コンクリート工事用スペーサーブロックの製造方法。
【請求項２】
ブロック２を製作するコンクリート材料として、コンクリート打設工事において型枠から漏出した余剰分の未硬化コンクリート材料を用いることを特徴とする請求項１記載の鉄筋コンクリート工事用スペーサーブロックの製造方法。
【請求項３】
鉄筋コンクリート工事において、コンクリート打設前に鉄筋を保持するために用いられるスペーサーブロックを製造するための用具であって、
上面に複数の収容凹部11・11…が形成された有底のトレイ本体１であって、このトレイ本体１の底壁裏面には割り溝12が形成されており、かつ、この割り溝12は、前記各収容凹部11・11…の各底壁裏面を少なくとも横断しており、
前記各収容凹部11・11…に充填されたコンクリートが硬化し、前記トレイ本体１の底壁裏面に形成された割り溝12に沿って底壁面を破断することによって、前記収容凹部11内でブロック状に硬化したコンクリートを脱型してブロック２を取り出すことができることを特徴とする鉄筋コンクリート工事用スペーサーブロックの成形用型枠。
【請求項４】
トレイ本体１が発泡プラスチック製であることを特徴とする請求項３記載の鉄筋コンクリート工事用スペーサーブロックの成形用型枠。
【請求項５】
トレイ本体１が溶剤溶解性の発泡プラスチックで成形されており、トレイ本体１の割り溝12を破断して脱型して取り出したとき、ブロック２の表面に付着したトレイ本体１の破片が、溶剤によって溶解できることを特徴とする請求項３または４記載の鉄筋コンクリート工事用スペーサーブロックの成形用型枠。
【請求項６】
トレイ本体１の各収容凹部11の側壁面および／または底壁面に突条11ａが形成されており、脱型したブロック２に凹溝21を形成することができることを特徴とする請求項３〜５の何れか一つに記載の鉄筋コンクリート工事用スペーサーブロックの成形用型枠。
【発明の詳細な説明】
【技術分野】
【０００１】
本発明は、建築資材に関するものであり、更に詳しくは、コンクリート工事における打設時に不可避的に生じる余剰コンクリートであっても、同一の工事現場内における他の工程に転用することができて、限られた資材を有効に活用することができる鉄筋コンクリート工事用スペーサーブロックの製造方法、および、硬化したブロックの脱型が容易で、かつ、一回で使い切って廃棄処分にも便利である鉄筋コンクリート工事用スペーサーブロック成形用型枠に関するものである。
【背景技術】
【０００２】
建築現場におけるコンクリート打設工事においては、例えば、施工性の良さからラス型枠による施工例が増加しているけれども、かかる工法にあっては、不可避的に型枠から余剰分のコンクリートが漏出してしまい、材料の無駄が生じていた。
【０００３】
一方、建築工事における鉄筋コンクリート工事にあっては、組んだ鉄筋を定位置に保持しておくために、スペーサブロックを鉄筋の傍らに配置している（例えば、特許文献１参照）。
【０００４】
しかしながら、かかるスペーサブロックは、配置後にコンクリートを充填すると、結局埋設されてしまう仮設的な材料にもかかわらず、施工上、大量に必要であるため、わざわざ別途に購入していた。
【０００５】
かかる事実は、前記のような余剰コンクリートが生じているにもかかわらず、コンクリート製のスペーサーブロックを別途購入するという甚だ不合理なものであり、コストの増加原因にもなっていた。
【特許文献１】特開2002−106114号公報  （第２−３頁、図２）
【発明の開示】
【発明が解決しようとする課題】
【０００６】
本発明は、従来の建築現場において、上記のような問題があったことに鑑みて為されたものであり、コンクリート工事における打設時に不可避的に生じる余剰コンクリートであっても、同一の工事現場内における他の工程に転用することができて、限られた資材を有効に活用することができる鉄筋コンクリート工事用スペーサーブロックの製造方法を提供することを技術的課題とする。
【０００７】
また、本発明は、硬化したブロックの脱型が容易で、かつ、一回で使い切って廃棄処分にも便利である鉄筋コンクリート工事用スペーサーブロック成形用型枠を提供することを技術的課題とする。
【課題を解決するための手段】
【０００８】
本発明者が上記課題を解決するために採用した手段を添付図面を参照して説明すれば次のとおりである。
【０００９】
即ち、本発明は、鉄筋コンクリート工事において、コンクリート打設前に鉄筋を保持するために用いられるスペーサーブロックを製造するにあたり、
上面に複数の収容凹部11・11…が形成された有底のトレイ本体１であって、このトレイ本体１の裏面には割り溝12が形成されており、かつ、この割り溝12は、前記各収容凹部11・11…における各底壁裏面を少なくとも横断して成る型枠を用いて、
前記各収容凹部11・11…に未硬化のコンクリート材料を充填し、当該コンクリートを硬化せしめた後、前記トレイ本体１の底壁裏面に形成された割り溝12に沿って底壁面を破断することによって、前記収容凹部11内でブロック状に硬化したコンクリートを脱型してブロック２を取り出すという技術的手段を採用することによって鉄筋コンクリート工事用スペーサーブロックの製造方法を完成させた。
【００１０】
また、本発明は、上記課題を解決するために、必要に応じて上記手段に加え、ブロック２を製作するコンクリート材料として、コンクリート打設工事において型枠から漏出した余剰分の未硬化コンクリート材料を用いるいう技術的手段を採用した。
【００１１】
また、本発明は、鉄筋コンクリート工事において、コンクリート打設前に鉄筋を保持するために用いられるスペーサーブロックを製造するための用具であって、
上面に複数の収容凹部11・11…が形成された有底のトレイ本体１であって、このトレイ本体１の底壁裏面には割り溝12が形成されており、かつ、この割り溝12は、前記各収容凹部11・11…の各底壁裏面を少なくとも横断しており、
前記各収容凹部11・11…に充填されたコンクリートが硬化し、前記トレイ本体１の底壁裏面に形成された割り溝12に沿って底壁面を破断することによって、前記収容凹部11内でブロック状に硬化したコンクリートを脱型してブロック２を取り出すことができるようにするという技術的手段を採用することによって鉄筋コンクリート工事用スペーサーブロックの成形用型枠を完成させた。
【００１２】
また、本発明は、上記課題を解決するために、必要に応じて上記手段に加え、トレイ本体１を発泡プラスチック製にするという技術的手段を採用した。
【００１３】
また、本発明は、上記課題を解決するために、必要に応じて上記手段に加え、トレイ本体１が溶剤溶解性の発泡プラスチックで成形されており、トレイ本体１の割り溝12を破断して脱型して取り出したとき、ブロック２の表面に付着したトレイ本体１の破片が、溶剤によって溶解できるようにするいう技術的手段を採用した。
【００１４】
更にまた、本発明は、上記課題を解決するために、必要に応じて上記手段に加え、トレイ本体１の各収容凹部11の側壁面および／または底壁面に突条11ａが形成されており、脱型したブロック２に凹溝21を形成することができるようにするという技術的手段を採用した。
【発明の効果】
【００１５】
本発明にあっては、収容凹部を形成した有底のトレイ本体の裏面には割り溝を形成し、かつ、この割り溝が前記各収容凹部における各底壁裏面を少なくとも横断して成る型枠を用いて、前記各収容凹部に未硬化のコンクリート材料を充填し、当該コンクリートを硬化せしめた後、前記トレイ本体の底壁裏面に形成された割り溝に沿って底壁面を破断することによって、前記収容凹部内でブロック状に硬化したコンクリートを脱型してブロックを取り出すことができるので、コンクリート工事における打設時に不可避的に生じる余剰コンクリートであっても、同一の工事現場内における他の工程に転用することができて、限られた資材を有効に活用することができることから、産業上における利用価値は頗る高いと云える。
【発明を実施するための最良の形態】
【００１６】
本発明の実施形態を具体的に図示した図面に基いて更に詳細に説明すると次のとおりである。
【００１７】
本発明の実施形態を図１から図５に基いて説明する。図中、符号１で指示するものは、上面に複数の収容凹部11・11…が形成された有底のトレイ本体であって、このトレイ本体１の底壁裏面には割り溝12が形成されている。この割り溝12は、前記各収容凹部11・11…の各底壁裏面を少なくとも横断して形成されており、本実施形態では、更に、トレイ本体１の収容凹部11の外側面にも形成されている（図１および図２参照）。
【００１８】
本実施形態では、トレイ本体１を発泡プラスチック製にすることにより軽量化および製造コストの削減をすることができ、例えば、発泡スチロールとして常用されているポリスチレンを使用することができる。
【００１９】
また、符号２で指示するものはブロックであり、このブロック２は、鉄筋コンクリート工事において、コンクリート打設前に鉄筋を保持するために用いられるスペーサーブロックである。
【００２０】
しかして、前記のように構成した型枠（トレイ本体１）を用いて、スペーサーブロックを製造する方法を以下に説明する。まず、前記各収容凹部11・11…に未硬化のコンクリート材料を充填する。この際、充填する材料はコンクリートに限らず、モルタルであっても良い。
【００２１】
本実施形態にあっては、ブロック２を製作するコンクリート材料として、コンクリート打設工事において型枠から漏出した余剰分の未硬化コンクリート材料を用いることによって、同一の工事現場内において、例えば、ラス型枠などを用いたコンクリート打設箇所で不可避的に漏出するコンクリート材料をブロックにしておくことにより、施工時期の異なる鉄筋コンクリートによるスラブ工などの他の工程に転用することができて、限られた資材を有効に活用することができる。
【００２２】
次に、前記充填したコンクリートを硬化せしめる。この際、通常のコンクリートを硬化させるのと同様に、適宜、養生して所要時間放置する。
【００２３】
そして、前記トレイ本体１の底壁裏面に形成された割り溝12に沿って底壁面を破断することによって、前記収容凹部11内でブロック状に硬化したコンクリートを脱型してブロック２を取り出す（図３参照）。
【００２４】
本実施形態の型枠は使い切りであって、一度使用して破断してしまった場合には廃棄されるが、かかる樹脂性のトレイ本体１は、溶解処理などを施すことによって、リサイクルすることが可能である。また、割り溝12に沿って破断することができるので、分割後であっても嵩張ることなく整理して廃棄することができる。
【００２５】
本実施形態では、更に、トレイ本体１の割り溝12を破断して脱型した後、取り出したブロック２の表面に付着したトレイ本体１の破片を、溶剤によって溶解することができ、ブロックをスペーサーとして使用する際に、かかる破片が不純物となることを防止することができる。
【００２６】
なお、本実施形態にあっては、図４に示すように、トレイ本体１の各収容凹部11の側壁面および／または底壁面に突条11ａを形成することにより、脱型したブロック２に凹溝21を形成することができる（図５参照）。また、この突条11ａの断面を略半円径にすることにより、このブロック２の使用時に支持すべき鉄筋を確実に位置決めして安定化させることができる。
【００２７】
本発明は、概ね上記のように構成されるが、本発明は図示の実施形態に限定されるものでは決してなく、「特許請求の範囲」の記載内において種々の変更が可能であって、例えば、トレイ本体１の材料はポリスチレンに限らず、ポリエチレン（ＰＥ）やポリプロピレン（ＰＰ）などのポリオレフィン系樹脂、ポリウレタン、エチレン酢酸ビニル（ＥＶＡ）やポリ塩化ビニル（ＰＶＣ）など採用することができる。
【００２８】
また、図示しないが、トレイ本体１の収容凹部11の形状をテーパ形状にすることもできるし、また、トレイ本体１の割り溝12は縦横の一方または両方に成形することも適宜成し得ることであり、何れのものも本発明の技術的範囲に属する。
【図面の簡単な説明】
【００２９】
【図１】本発明の実施形態のトレイ本体を表わす全体斜視図である。
【図２】本発明の実施形態のトレイ本体の裏面を表わす全体斜視図である。
【図３】本発明の実施形態のトレイ本体からブロックを取り出す状態を表わす説明側面図である。
【図４】本発明の実施形態のトレイ本体の変形例を表わす全体斜視図である。
【図５】本発明の実施形態のブロックを表わす全体斜視図である。
【符号の説明】
【００３０】
１  トレイ本体
11    収容凹部
11ａ    突条
12    割り溝
２  ブロック
21    凹溝
【図１】
2005336848.tif 000003
【図２】
2005336848.tif 000004
【図３】
2005336848.tif 000005
【図４】
2005336848.tif 000006
【図５】
2005336848.tif 000007